【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
エンジンと、当該エンジンを制御するエンジンコントローラと、当該エンジンコントローラと通信可能なメインコントローラとを備える画像形成装置であって、
前記メインコントローラは、前記画像形成装置の起動に応じて前記エンジンコントローラに起動指示を出力し、
前記エンジンコントローラは、
前記起動指示に応じて、当該起動の前は縮退制御であったかどうかを判定する判定手段と、
前記判定手段が縮退制御であったと判定した場合、前記起動が省電力モードからの復帰かどうかを判定し、前記省電力モードからの復帰の場合は、前記エンジンの初期化処理を禁止して起動する第１の起動手段と、
前記判定手段が縮退制御でなかったと判定した場合、或いは前記起動が省電力モードからの復帰でない場合は、前記エンジンの初期化処理を実行して起動する第２の起動手段と、
を有することを特徴とする画像形成装置。
【請求項２】
前記起動が省電力モードからの復帰でない場合は、前記画像形成装置の電源オンの場合を含むことを特徴とする請求項１に記載の画像形成装置。
【請求項３】
前記エンジンコントローラは、
前記第２の起動手段による起動時、前記エンジンの初期化処理によるエラーの発生を検知するエラー検知手段と、
前記エラー検知手段により検知された前記エラーが前記縮退制御の対象であるときは前記縮退制御に移行し、前記エラーが前記縮退制御の対象でないときは前記画像形成装置の動作を停止するように制御する起動制御手段と、
を更に有することを特徴とする請求項１又は２に記載の画像形成装置。
【請求項４】
前記エンジンコントローラは、
縮退制御であったかどうかをを示す情報を不揮発に記憶する記憶手段を有し、
前記判定手段は、前記記憶手段に記憶された前記情報を基に判定することを特徴とする請求項１乃至３のいずれか１項に記載の画像形成装置。
【請求項５】
エンジンと、当該エンジンを制御するエンジンコントローラと、当該エンジンコントローラと通信可能なメインコントローラとを備える画像形成装置であって、
前記メインコントローラは、
前記画像形成装置の起動に応じて、当該起動の前は縮退制御であったかどうかを判定する判定手段と、
前記判定手段が縮退制御であったと判定した場合、前記エンジンの初期化処理を禁止して起動する第１の起動手段と、
前記判定手段が縮退制御でなかったと判定した場合、前記エンジンコントローラ及び前記エンジンを起動する第２の起動手段と、
を有することを特徴とする画像形成装置。
【請求項６】
前記メインコントローラは、
縮退制御であったかどうかをを示す情報を不揮発に記憶する記憶手段を有し、
前記判定手段は、前記記憶手段に記憶された前記情報を基に判定することを特徴とする請求項５に記載の画像形成装置。
【請求項７】
前記エンジンコントローラは、
前記第２の起動手段による起動時、前記エンジンの初期化処理によるエラーの発生を検知するエラー検知手段と、
前記エラー検知手段により検知された前記エラーが前記縮退制御の対象であるときは前記縮退制御に移行するとともに前記メインコントローラに通知し、前記エラーが前記縮退制御の対象でないときは前記画像形成装置の動作を停止するように制御する起動制御手段と、
を更に有することを特徴とする請求項５又は６に記載の画像形成装置。
【請求項８】
エンジンと、当該エンジンを制御するエンジンコントローラと、当該エンジンコントローラと通信可能なメインコントローラとを備える画像形成装置であって、
前記メインコントローラは、
前記エンジンコントローラからの縮退情報を記憶する記憶手段と、
省電力モードの条件を満たした場合に、省電力モードに移行する省電力手段と、
前記省電力手段による前記省電力モードへの移行時、前記記憶手段に前記縮退情報が記憶されていると、前記省電力モードからの復帰時に前記エンジンの初期化処理を行わないように制御する制御信号を前記エンジンコントローラに出力する制御手段と、
前記省電力モードからの復帰時に前記エンジンコントローラを起動するように指示する起動手段と、を有し、
前記エンジンコントローラは、
前記起動手段の指示に応じて起動を開始し、前記制御信号に応じて前記エンジンの初期化処理を禁止、或いは禁止せずに起動する起動制御手段と、
を有することを特徴とする画像形成装置。
【請求項９】
前記縮退情報は、前記エンジンの機能で不具合が発生している機能を使用しない状態を示す情報であることを特徴とする請求項８に記載の画像形成装置。
【請求項１０】
前記制御信号は、ＬＩＶＥＷＡＫＥ信号であることを特徴とする請求項８に記載の画像形成装置。
【請求項１１】
省電力モードを有する画像形成装置であって、
前記画像形成装置の複数の機能の一部の機能が使用できなくなった場合に、当該一部の機能以外の機能を提供して稼働する縮退制御を行う縮退制御手段と、
前記縮退制御手段による縮退制御状態にあることを示す情報を記憶する記憶手段と、
前記画像形成装置の起動が指示されると、当該起動が省電力モードからの復帰によるものか、或いは前記画像形成装置の電源オンによるものかを判定する判定手段と、
前記判定手段により前記起動が前記省電力モードからの復帰であると判定され、かつ前記記憶手段が前記情報を記憶している場合、像形成機構部の初期化動作を行うことなく起動し、
前記判定手段により前記起動が前記画像形成装置の電源オンによるものであると判定された場合は、前記像形成機構部の初期化動作を伴った起動を実行するように制御する起動制御手段と、
を有することを特徴とする画像形成装置。
【請求項１２】
省電力モードを有する画像形成装置を制御する制御方法であって、
縮退制御手段が、前記画像形成装置の複数の機能の一部の機能が使用できなくなった場合に、当該一部の機能以外の機能を提供して稼働する縮退制御を行う縮退制御工程と、
記憶手段が、前記縮退制御工程による縮退制御状態にあることを示す情報をメモリに記憶する記憶工程と、
判定手段が、前記画像形成装置の起動が指示されると、当該起動が省電力モードからの復帰によるものか、或いは前記画像形成装置の電源オンによるものかを判定する判定工程と、
制御手段が、前記判定工程で前記起動が前記省電力モードからの復帰であると判定され、かつ前記メモリが前記情報を記憶している場合、像形成機構部の初期化動作を行うことなく起動し、前記判定工程で前記起動が前記画像形成装置の電源オンによるものであると判定された場合は、前記像形成機構部の初期化動作を伴った起動を実行するように制御する起動制御工程と、
を有することを特徴とする画像形成装置の制御方法。
【請求項１３】
コンピュータに、請求項１２に記載の制御方法を実行させるためのプログラム。
【請求項１４】
複数の機能を選択的に実行可能な画像形成装置であって、
画像形成ジョブを送信する第１の制御手段と、
前記第１の制御手段により送信された画像形成ジョブを受信し、画像形成動作を制御する第２の制御手段と、
前記画像形成装置の異常を検知する異常検知手段と、
前記複数の機能のうち、前記異常検知手段により検知された異常に対応する機能を制限する機能制限手段と、
前記機能制限手段により機能を制限されていない状態で前記第２の制御手段の電源がオンされた場合、第１の準備動作を実行し、前記機能制限手段により機能を制限された状態で前記第２の制御手段の電源がオンされた場合、制限された機能に対応する準備動作を前記第１の準備動作から省いた第２の準備動作を実行する実行手段と、
を有することを特徴とする画像形成装置。
【請求項１５】
前記第１の制御手段は、省電力モードに移行する場合、前記第２の制御手段への電源供給を遮断することを特徴とする請求項１４に記載の画像形成装置。
【請求項１６】
前記実行手段は、前記機能制限手段により機能を制限された状態で、且つ、前記省電力モードからの復帰時には、前記第２の準備動作を実行することを特徴とする請求項１５に記載の画像形成装置。
【請求項１７】
前記第１の制御手段と前記第２の制御手段とは通信線で接続され、
前記省電力モードからの復帰かどうかを示す情報は、通信コマンドに含められて前記通信線を介して前記第１の制御手段から前記第２の制御手段へ送信されることを特徴とする請求項１５に記載の画像形成装置。
【請求項１８】
前記実行手段は、前記省電力モードからの復帰かどうかを示す情報が含められる通信コマンドを前記第２の制御手段が受信するまで、前記第１の準備動作又は前記第２の準備動作を実行しないことを特徴とする請求項１７に記載の画像形成装置。
【請求項１９】
前記第１の制御手段と前記第２の制御手段とは信号線で接続され、
前記省電力モードからの復帰かどうかを示す情報は、前記信号線を介して前記第１の制御手段から前記第２の制御手段へ送信されることを特徴とする請求項１５に記載の画像形成装置。
【請求項２０】
前記実行手段は、前記機能制限手段により機能を制限された状態で、且つ、前記画像形成装置の主電源をオンされた場合は、前記第１の準備動作を実行することを特徴とする請求項１４に記載の画像形成装置。
【請求項２１】
前記機能制限手段により制限された機能を記憶する記憶手段を更に有し、
前記実行手段は、電源オンされたことに応じて前記記憶手段に記憶された情報を読み出し、読み出された情報に基づいて前記第１の準備動作及び前記第２の準備動作のどちらを実行するかを判断することを特徴とする請求項１４に記載の画像形成装置。
【請求項２２】
複数の機能を選択的に実行可能な画像形成装置であって、
前記画像形成装置の異常を検知する異常検知手段と、
前記複数の機能のうち、前記異常検知手段により検知された異常に対応する機能を制限する機能制限手段と、
前記画像形成装置の初期化動作を制御する制御手段と、を有し、
前記制御手段は、前記機能制限手段により機能を制限されていない状態で前記初期化動作を行う場合に第１の準備動作を実行し、前記機能制限手段により機能を制限された状態で初期化動作を行う場合、制限された機能に対応する準備動作を前記第１の準備動作から省いた第２の準備動作を実行することを特徴とする画像形成装置。
【手続補正２】
【補正対象書類名】明細書
【補正対象項目名】００１９
【補正方法】変更
【補正の内容】
【００１９】
電源ユニット２３０は、この画像形成装置１０１の各部に電源を供給している。この画像形成装置１０１の電源オフのとき、ＡＣ電源２５０は、電源スイッチ２５１により遮断されている。この電源スイッチ２５１をオンにすることにより、ＡＣ−ＤＣコンバータ２５２にＡＣ電源が供給されてＤＣ電圧が出力される。この画像形成装置１０１では、ＣＰＵ２１１の指示により、２つの独立した電源制御が可能である。即ち、電源制御部２０９がスイッチ２２３オフすることにより、メインコントローラ２１０への電力供給２２４を停止した状態にできる。これは例えば、スリープモードの場合に該当する。またスイッチ２２２をオフにすることにより、エンジンコントローラ２００及びプリンタエンジン２４０への電力供給２２５を停止することができる。このように電源制御部２０９は、これらスイッチ２２２及び２２３をオン／オフすることにより、画像形成装置１０１の必要な場所に電力を供給したり、その電力供給を停止することができる。
【手続補正３】
【補正対象書類名】明細書
【補正対象項目名】００５０
【補正方法】変更
【補正の内容】
【００５０】
以上の処理によって、装置の電源オンによるメインコントローラ２１０の起動時、プリンタエンジン２４０でエラーが発生して縮退制御しているか、或いはその縮退制御が解消されているかに応じて、起動処理を変更できる。このように画像形成装置の電源オンによる起動であっても、縮退モードであるかどうかを判定し、その判定結果に応じたプリンタエンジンの起動制御を行うことができる。
【手続補正４】
【補正対象書類名】明細書
【補正対象項目名】００６２
【補正方法】変更
【補正の内容】
【００６２】
＜実施形態３＞
次に本発明の実施形態３を説明する。この実施形態３に係る画像形成装置１０１のハードウェア構成は、前述の実施形態１に係る図２の構成と同じであるため、その説明を省略する。